(57)【特許請求の範囲】
【請求項１】
枚葉の用紙を搬送する用紙搬送装置において、
外周面上に前記用紙を巻き付けて回転することにより、前記用紙を搬送するドラムと、
前記ドラムの外周面上に設置され、前記用紙の表面を押圧して、前記用紙の裏面を前記ドラムの外周面に密着させる押圧ローラと、
前記用紙が前記ドラムと前記押圧ローラとの間に進入する直前の位置で前記用紙の表面を吸引して、前記用紙にバックテンションを付与するバックテンション付与手段と、
を備えたことを特徴とする用紙搬送装置。
【請求項２】
前記ドラムは、外周面上に巻き付けられる前記用紙の裏面を吸着保持する吸着保持手段を有することを特徴とする請求項１に記載の用紙搬送装置。
【請求項３】
前記ドラムは、前記用紙の先端を把持する先端把持手段を有することを特徴とする請求項１又は２に記載の用紙搬送装置。
【請求項４】
前記バックテンション付与手段は、
前記用紙の表面が摺接されるガイド面を有するとともに、該ガイド面に吸引穴が形成された用紙ガイドと、
前記吸引穴から吸引して、前記用紙の表面を前記ガイド面に密着させる吸引手段と、
を備えることを特徴とする請求項１から３のいずれか１項に記載の用紙搬送装置。
【請求項５】
前記ガイド面は、前記用紙の搬送方向と直交する方向の断面の形状が円弧状に形成されることを特徴とする請求項４に記載の用紙搬送装置。
【請求項６】
前記ガイド面は、前記用紙の搬送方向と平行な方向の断面の形状が円弧状に形成されることを特徴とする請求項４又は５に記載の用紙搬送装置。
【請求項７】
前記ガイド面は、平坦に形成されることを特徴とする請求項４に記載の用紙搬送装置。
【請求項８】
前記ガイド面には、スリット状の前記吸引穴が前記用紙の搬送方向と直交して形成されることを特徴とする請求項４から７のいずれか１項に記載の用紙搬送装置。
【請求項９】
前記ガイド面には、スリット状の前記吸引穴が前記用紙の搬送方向に対して傾斜して形成されることを特徴とする請求項４から７のいずれか１項に記載の用紙搬送装置。
【請求項１０】
前記ガイド面には、前記吸引穴が前記用紙の搬送方向と直交する方向に所定の間隔をもって複数形成されることを特徴とする請求項４から７のいずれか１項に記載の用紙搬送装置。
【請求項１１】
前記各吸引穴は、長穴状に形成され、前記用紙の搬送方向と平行に形成されることを特徴とする請求項１０に記載の用紙搬送装置。
【請求項１２】
前記各吸引穴は、長穴状に形成され、前記用紙の搬送方向に対して傾斜して形成されることを特徴とする請求項１０に記載の用紙搬送装置。
【請求項１３】
前記各吸引穴は、前記用紙の搬送方向の上流側の端部が下流側の端部よりも前記ガイド面の中心側に位置するように傾斜して形成されることを特徴とする請求項１２に記載の用紙搬送装置。
【請求項１４】
前記ガイド面の中心から離れた位置に形成される前記吸引穴ほど傾斜角度が大きく設定されることを特徴とする請求項１３に記載の用紙搬送装置。
【請求項１５】
前記各吸引穴は、多数の丸穴が集合して形成され、全体として長穴状に形成されることを特徴とする請求項１１から１４のいずれか１項に記載の用紙搬送装置。
【請求項１６】
前記ガイド面は、前記用紙の搬送方向と平行な方向の断面の形状が、波形に形成され、谷部に前記吸引穴が形成されることを特徴とする請求項４又は５に記載の用紙搬送装置。
【請求項１７】
前記用紙ガイドは、中空部を有し、前記中空部に前記吸引穴が連通して形成されるとともに、前記中空部に真空防止穴が連通して形成され、前記中空部が前記吸引手段に吸引されることを特徴とする請求項４から１６のいずれか１項に記載の用紙搬送装置。
【請求項１８】
前記用紙ガイドは、前記ガイド面の向きが調整可能であることを特徴とする請求項４から１７のいずれか１項に記載の用紙搬送装置。
【請求項１９】
前記バックテンション付与手段は、前記用紙が前記押圧ローラに巻き掛かるように、前記用紙の表面を吸引することを特徴とする請求項４から１７のいずれか１項に記載の用紙搬送装置。
【請求項２０】
前記バックテンション付与手段は、前記ドラムと前記押圧ローラとの間に進入する前記用紙が、前記ドラムと前記押圧ローラとの接点における前記ドラムの外周の接線に沿って走行するように、前記用紙の表面を吸引することを特徴とする請求項４から１７のいずれか１項に記載の用紙搬送装置。
【請求項２１】
前記用紙の先端を把持して回転することにより、前記用紙を搬送する回転搬送手段を更に備え、前記ドラムは、前記回転搬送手段から前記用紙が給紙されることを特徴とする請求項１から２０のいずれか１項に記載の用紙搬送装置。
【請求項２２】
請求項１から２１のいずれか１項に記載の用紙搬送装置と、
前記ドラムによって搬送される前記用紙の表面にインクの液滴を吐出するインクジェットヘッドと、
を備えたことを特徴とするインクジェット記録装置。
【発明の詳細な説明】
【技術分野】
【０００１】
本発明は、用紙搬送装置及びインクジェット記録装置に係り、特に用紙をドラムで搬送する用紙搬送装置及びインクジェット記録装置に関する。
【背景技術】
【０００２】
インクジェット記録装置における用紙の搬送方式として、ドラム搬送方式が知られている。ドラム搬送方式では、ドラムの外周面上に用紙を巻き付けて、ドラムを回転させることにより、用紙を搬送する。
【０００３】
特許文献１には、ドラム搬送方式を採用したインクジェット記録装置が記載されている。このインクジェット記録装置では、ドラムに巻き付けられる用紙に浮きやシワが発生するのを防止するために、用紙をドラムに導く搬送ガイドに吸引機構を設け、用紙にバックテンションを付与しながら、用紙をドラムに受け渡す構成としている。
【先行技術文献】
【特許文献】
【０００４】
【特許文献１】特開２００９−２２０９５４号公報
【発明の概要】
【発明が解決しようとする課題】
【０００５】
ところで、印字部のように用紙の平滑性が要求される場所では、用紙をドラムに密着させるために、ドラムの外周面上に押圧ローラが設置される。押圧ローラは、ドラムの外周面上に巻き掛けられる用紙の表面を押圧して、用紙をドラムに密着させる。このような押圧ローラを設置した場合、用紙は先端側から順にドラムに密着されてゆく。このとき、用紙に支えがないと、用紙が弛んで、押圧時にシワが発生するという問題がある。
【０００６】
特許文献１の場合、用紙が搬送ガイドにガイドされている間は、バックテンションの効果によって、用紙を撓みなくドラムと押圧ローラとの間に導くことができる。しかしながら、用紙が搬送ガイドを通過してしまうと、用紙にはバックテンションが付与されなくなり、用紙の後端部で用紙が弛んで、押圧時にシワが発生するという問題がある。
【０００７】
また、特許文献１では、吸引により用紙の裏面（印刷面とは反対側の面）を搬送ガイドに密着させて、用紙にバックテンションを付与する構成とされている。この場合、すでに裏面に画像が記録されていると（両面印刷時など）、その画像を傷付けるおそれがある。
【０００８】
本発明は、このような事情に鑑みてなされたもので、用紙をシワなくドラムに密着させて搬送することができる用紙搬送装置及びインクジェット記録装置を提供することを目的とする。
【課題を解決するための手段】
【０００９】
課題を解決するための手段は、次のとおりである。
【００１０】
［１］用紙搬送装置の第１の態様は、枚葉の用紙を搬送する用紙搬送装置において、外周面上に前記用紙を巻き付けて回転することにより、前記用紙を搬送するドラムと、前記ドラムの外周面上に設置され、前記用紙の表面を押圧して、前記用紙の裏面を前記ドラムの外周面に密着させる押圧ローラと、前記用紙が前記ドラムと前記押圧ローラとの間に進入する直前の位置で前記用紙の表面を吸引して、前記用紙にバックテンションを付与するバックテンション付与手段と、を備えたことを特徴とする。
【００１１】
本態様によれば、用紙は、ドラムと押圧ローラとの間に進入する直前の位置で表面が吸引されて、バックテンションが付与される。これにより、最後まで弛みを発生させることなく、用紙をドラムと押圧ローラとの間に進入させることができる。また、これにより、シワを発生させることなく、用紙をドラムの外周面に密着させることができる。また、用紙は、表面が吸引されてバックテンションが付与されるため、裏面に画像が記録されている場合であっても、その画像を傷付けることがない。
【００１２】
［２］用紙搬送装置の第２の態様は、上記第１の態様の用紙搬送装置において、前記ドラムは、外周面上に巻き付けられる前記用紙の裏面を吸着保持する吸着保持手段を有することを特徴とする。
【００１３】
本態様によれば、用紙の裏面がドラムの外周面に吸着されて、ドラムに搬送される。これにより、より確実に用紙をドラムの外周面に密着させることができる。
【００１４】
［３］用紙搬送装置の第３の態様は、上記第１又は第２の態様の用紙搬送装置において、前記ドラムは、前記用紙の先端を把持する先端把持手段を有することを特徴とする。
【００１５】
本態様によれば、用紙の先端が把持されて、ドラムに搬送される。これにより、用紙をスリップさせることなく搬送することができる。
【００１６】
［４］用紙搬送装置の第４の態様は、上記第１から第３の態様の用紙搬送装置において、前記バックテンション付与手段は、前記用紙の表面が摺接されるガイド面を有するとともに、該ガイド面に吸引穴が形成された用紙ガイドと、前記吸引穴から吸引して、前記用紙の表面を前記ガイド面に密着させる吸引手段と、を備えることを特徴とする。
【００１７】
本態様によれば、用紙は表面を吸引されることにより、ガイド面に密着しながら搬送されて、バックテンションが付与される。これにより、用紙の走行を安定させることができるとともに、確実にバックテンションを付与することができる。
【００１８】
［５］用紙搬送装置の第５の態様は、上第４の態様の用紙搬送装置において、前記ガイド面は、前記用紙の搬送方向と直交する方向の断面の形状が円弧状に形成されることを特徴とする。
【００１９】
本態様によれば、ガイド面の幅方向（用紙の搬送方向と直交する方向）の断面形状が円弧状に形成される。用紙は、ガイド面上を摺動する際、ガイド面に倣って、反りながら走行する。これにより、用紙の幅方向（搬送方向と直交する方向）の両端部の弛みを効果的に防止できる。また、押圧ローラによる押圧時には、用紙の中央から幅方向の両端に向かって押圧することができる。これにより、シワの発生を効果的に抑止することができる。なお、円弧はドラムの外周面に向かって凸となるように形成してもよいし、また、ドラムの外周面に対して凹となるように形成してもよい。
【００２０】
［６］用紙搬送装置の第６の態様は、上記第４又は第５の態様の用紙搬送装置において、前記ガイド面は、前記用紙の搬送方向と平行な方向の断面の形状が円弧状に形成されることを特徴とする。
【００２１】
本態様によれば、ガイド面の用紙搬送方向の断面形状が円弧状に形成される。これにより、摺動時における用紙の接触面積を拡大することができる。これにより、用紙を安定して搬送することができるとともに、用紙の保持力を高めることができる。
【００２２】
［７］用紙搬送装置の第７の態様は、上記第４の態様の用紙搬送装置において、前記ガイド面は、平坦に形成されることを特徴とする。
【００２３】
本態様によれば、ガイド面が平坦に形成される。これにより、まっすぐな状態にして、用紙をドラムと押圧ローラとの間に進入させることができる。
【００２４】
［８］用紙搬送装置の第８の態様は、上記第４から第７の態様のいずれか１の態様の用紙搬送装置において、前記ガイド面には、スリット状の前記吸引穴が前記用紙の搬送方向と直交して形成されることを特徴とする。
【００２５】
本態様によれば、ガイド面に形成される吸引穴が、スリット状に形成され、用紙の搬送方向と直交して形成される。これにより、用紙の幅方向に対して、用紙を連続的に吸着することができ、高い保持力を得ることができる。なお、吸引穴は、並列して複数本配置することもできる。
【００２６】
［９］用紙搬送装置の第９の態様は、上記第４から第７の態様のいずれか１の態様の用紙搬送装置において、前記ガイド面には、スリット状の前記吸引穴が前記用紙の搬送方向に対して傾斜して形成されることを特徴とする。
【００２７】
本態様によれば、ガイド面に形成される吸引穴が、スリット状に形成され、用紙の搬送方向に対して傾斜して形成される（たとえば、ガイド面の対角線に沿って形成される。）。これにより、用紙の幅方向に対して、用紙を連続的に吸着することができ、高い保持力を得ることができる。また、用紙がガイド面を摺動する際、用紙の幅方向の一方から他方に向けてシワを延ばすことができる。なお、吸引穴は、並列して複数本配置することもできる。
【００２８】
［１０］用紙搬送装置の第１０の態様は、上記第４から第７の態様のいずれか１の態様の用紙搬送装置において、前記ガイド面には、前記吸引穴が前記用紙の搬送方向と直交する方向に所定の間隔をもって複数形成されることを特徴とする。
【００２９】
本態様によれば、ガイド面に幅方向に沿って一定の間隔で複数の吸引穴が形成される。これにより、用紙の変形を抑えて、用紙をスムーズにガイドすることができる。なお、各吸引穴の形状は、特に限定されない。たとえば、各吸引穴の形状を丸穴形状や長穴形状（楕円形状、長方形状を含む）とすることができる。
【００３０】
［１１］用紙搬送装置の第１１の態様は、上記第１０の態様の用紙搬送装置において、前記各吸引穴は、長穴状に形成され、前記用紙の搬送方向と平行に形成されることを特徴とする。
【００３１】
本態様によれば、ガイド面の幅方向に沿って一定ピッチで配置される各吸引穴の形状が、用紙の搬送方向と平行な方向に延びる長穴形状（縦幅と横幅が異なる穴形状（楕円、長方形等を含む））に形成される。これにより、用紙の変形を抑えつつ、保持力を高めることができる。
【００３２】
［１２］用紙搬送装置の第１２の態様は、上記第１０の態様の用紙搬送装置において、各吸引穴は、長穴状に形成され、前記用紙の搬送方向に対して傾斜して形成されることを特徴とする。
【００３３】
本態様によれば、ガイド面の幅方向に沿って一定ピッチで配置される各吸引穴の形状が長穴形状とされ、かつ、用紙の搬送方向に対して傾斜して形成される。これにより、用紙がガイド面を摺動する際、用紙の幅方向の一方から他方に向けてシワを延ばすことができる。
【００３４】
［１３］用紙搬送装置の第１３の態様は、上記第１２の態様の用紙搬送装置において、前記各吸引穴は、前記用紙の搬送方向の上流側の端部が下流側の端部よりも前記ガイド面の中心側に位置するように傾斜して形成されることを特徴とする。
【００３５】
本態様によれば、ガイド面の幅方向に沿って一定ピッチで配置される各吸引穴の形状が長穴形状とされ、かつ、用紙の搬送方向の上流側の端部が下流側の端部よりもガイド面の中心側に位置するように、用紙の搬送方向に対して傾斜して形成される。これにより、用紙がガイド面を摺動する際、用紙の中央から幅方向の両端に向けてシワを延ばすことができる。なお、この場合、吸引穴は、ガイド面の幅方向の中心に対して左右対称に形成される。
【００３６】
［１４］用紙搬送装置の第１４の態様は、上記第１３の態様の用紙搬送装置において、前記ガイド面の中心から離れた位置に形成される前記吸引穴ほど傾斜角度が大きく設定されることを特徴とする。
【００３７】
本態様によれば、用紙の搬送方向の上流側の端部が下流側の端部よりもガイド面の中心側に位置するように、各吸引穴を傾斜させて形成する場合において、ガイド面の中心から離れた位置に配置される吸引穴ほど傾斜角度が大きくなるように形成される。これにより、用紙の中心から幅方向の両端に向かって徐々にシワを延ばすことができ、シワを伸ばす効果をより高めることができる。
【００３８】
［１５］用紙搬送装置の第１５の態様は、上記第１１から第１４の態様のいずれか１の態様の用紙搬送装置において、前記各吸引穴は、多数の丸穴が集合して形成され、全体として長穴状に形成されることを特徴とする。
【００３９】
本態様によれば、吸引穴を長穴形状とする際、多数の小径の丸穴を集合させて、全体として長穴形状に形成される（外形が長穴形状とされる。）。これにより、高い保持力を得つつ、用紙の変形を抑えることができる。また、加工も容易に行うことができる。
【００４０】
［１６］用紙搬送装置の第１６の態様は、上記第４又は第５の態様の用紙搬送装置において、前記ガイド面は、前記用紙の搬送方向と平行な方向の断面の形状が、波形に形成され、谷部に前記吸引穴が形成されることを特徴とする。
【００４１】
本態様によれば、ガイド面の用紙の搬送方向と平行な方向の断面形状が波形に形成され、その谷部に吸引穴が形成される。これにより、用紙の保持力を高めることができる。なお、吸引穴の形状は、特に限定されない。たとえば、谷部に沿ってスリット状の穴とすることができる。また、たとえば、長穴形状又は丸穴形状とし、谷部に沿って一定のピッチで形成することができる。
【００４２】
［１７］用紙搬送装置の第１７の態様は、上記第４から第１６のいずれか１の態様の用紙搬送装置において、前記用紙ガイドは、中空部を有し、前記中空部に前記吸引穴が連通して形成されるとともに、前記中空部に真空防止穴が連通して形成され、前記中空部が前記吸引手段に吸引されることを特徴とする。
【００４３】
本態様によれば、用紙ガイドに中空部が形成され、この中空部が吸引されて、ガイド面に形成された吸引穴から用紙が吸引される。中空部には、真空防止穴が連通され、過剰な吸引力で吸引されるのが防止される。これにより、適切な吸引力で用紙を吸引してバックテンションを付与することができる。
【００４４】
［１８］用紙搬送装置の第１８の態様は、上記第４から第１７のいずれか１の態様の用紙搬送装置において、前記用紙ガイドは、前記ガイド面の向きが調整可能であることを特徴とする。
【００４５】
本態様によれば、ガイド面の向きを調整することができる。これにより、用紙の種類、厚さ等に応じて、適切に用紙をガイドし、バックテンションを付与することができる。
【００４６】
［１９］用紙搬送装置の第１９の態様は、上記第４から第１７のいずれか１の態様の用紙搬送装置において、前記バックテンション付与手段は、前記用紙が前記押圧ローラに巻き掛かるように、前記用紙の表面を吸引することを特徴とする。
【００４７】
本態様によれば、用紙の表面を吸引することにより、用紙が押圧ローラに巻き掛かるように、バックテンション付与手段が設置される。これにより、シワを効果的に延ばすことができる。なお、この調整は、たとえば、吸引方向、ガイド面の向きなどを調整することにより行われる。
【００４８】
［２０］用紙搬送装置の第２０の態様は、上記第４から第１７のいずれか１の態様の用紙搬送装置において、前記バックテンション付与手段は、前記ドラムと前記押圧ローラとの間に進入する前記用紙が、前記ドラムと前記押圧ローラとの接点における前記ドラムの外周の接線に沿って走行するように、前記用紙の表面を吸引することを特徴とする。
【００４９】
本態様によれば、ドラムと押圧ローラとの接点におけるドラムの外周の接線に沿って用紙が走行するように、バックテンション付与手段が設置される。これにより、ドラムと押圧ローラとの間に用紙をスムーズに進入させることができ、押圧ローラによる押圧時にシワが発生するのを効果的に防止することができる。なお、この調整は、たとえば、吸引方向、ガイド面の向きなどを調整することにより行われる。
【００５０】
［２１］用紙搬送装置の第２１の態様は、上記第１から第２０のいずれか１の態様の用紙搬送装置において、前記用紙の先端を把持して回転することにより、前記用紙を搬送する回転搬送手段を更に備え、前記ドラムは、前記回転搬送手段から前記用紙が給紙されることを特徴とする。
【００５１】
本態様によれば、回転搬送手段から用紙がドラムに受け渡される。回転搬送手段から用紙を受け取る構成の場合、用紙を回転搬送手段から受け取る位置の近傍に押圧ローラを設置することができない。このため、ドラムが用紙を受け取った位置から離れた位置で用紙が押圧ローラに押圧されるが、用紙は押圧ローラに押圧される直前に表面が吸引されて、バックテンションが付与されるため、シワを発生させることなく、ドラムの外周面に密着させることができる。
【００５２】
［２２］インクジェット記録装置の一態様は、上記第１から第２１のいずれか１の態様の用紙搬送装置と、前記ドラムによって搬送される前記用紙の表面にインクの液滴を吐出するインクジェットヘッドと、を備えたことを特徴とする。
【００５３】
本態様によれば、用紙がシワなくドラムの外周面上に保持されるため、高品質な画像を記録することができる。また、すでに裏面に画像が記録されている場合であっても、記録済みの画像を傷付けることなく搬送することができる。
【発明の効果】
【００５４】
本発明によれば、用紙をシワなくドラムに密着させて搬送することができる。これにより、高品質な画像を記録することができる。
【図面の簡単な説明】
【００５５】
【図１】本発明に係るインクジェット記録装置の一実施形態を示す全体構成図
【図２】インクジェット記録装置の制御系の概略構成を示すブロック図
【図３】画像記録部の用紙搬送機構の概略構成を示す側面図
【図４】画像記録部の用紙搬送機構の概略構成を示す斜視図
【図５】用紙ガイドの下面図（ガイド面の平面図）
【図６】用紙ガイドのガイド面の他の態様を示す図
【図７】用紙ガイドのガイド面の更に他の態様を示す図
【図８】用紙ガイドのガイド面の更に他の態様を示す図
【図９】ガイド面に形成する吸引穴の他の態様を示す図
【図１０】ガイド面に形成する吸引穴の更に他の態様を示す図
【図１１】吸着穴の他の態様を示す図
【図１２】用紙ガイドの設置方法の他の態様を示す図
【図１３】用紙ガイドの他の態様を示す図
【図１４】用紙ガイドの他の態様を示す図
【発明を実施するための形態】
【００５６】
以下、添付図面に従って本発明の好ましい実施の形態について詳説する。
【００５７】
《インクジェット記録装置の全体構成》
図１は本発明に係るインクジェット記録装置の一実施形態を示す全体構成図である。
【００５８】
このインクジェット記録装置１０は、枚葉の用紙Ｐに水性インク（水を溶媒に含むインク）を用いてインクジェット方式で印刷する装置であり、用紙Ｐを給紙する給紙部２０と、用紙Ｐの表面（印刷面）に所定の処理液を塗布する処理液塗布部３０と、用紙Ｐの印刷面にシアン（Ｃ）、マゼンタ（Ｍ）、イエロ（Ｙ）、クロ（Ｋ）の各色のインク滴をインクジェットヘッドで打滴して、カラー画像を描画する画像記録部４０と、用紙Ｐに打滴されたインク滴を乾燥させるインク乾燥部５０と、用紙Ｐに記録された画像を定着させる定着部６０と、用紙Ｐを回収する回収部７０とを備えて構成される。
【００５９】
処理液塗布部３０、画像記録部４０、インク乾燥部５０、定着部６０の各部には、それぞれ用紙Ｐの搬送手段として、搬送ドラム３１、４１、５１、６１が備えられる。用紙Ｐは、この搬送ドラム３１、４１、５１、６１によって、処理液塗布部３０、画像記録部４０、インク乾燥部５０、定着部６０の各部を搬送される。
【００６０】
各搬送ドラム３１、４１、５１、６１は、円筒状に形成され、用紙幅に対応して形成される。各搬送ドラム３１、４１、５１、６１は、図示しないモータに駆動されて回転する（図１において、反時計回りに回転する。）。用紙Ｐは、各搬送ドラム３１、４１、５１、６１の外周面に巻き付けられて搬送される。
【００６１】
各搬送ドラム３１、４１、５１、６１の周面には、グリッパが備えられる。用紙Ｐは、このグリッパに先端部を把持されて搬送される。本例では、各搬送ドラム３１、４１、５１、６１の周面の２箇所にグリッパＧが設置される。グリッパＧは、１８０°間隔で設置される。これにより、１回の回転で２枚の用紙を搬送することができる。
【００６２】
また、各搬送ドラム３１、４１、５１、６１には、外周面上に巻き付けられた用紙Ｐを吸着保持する吸着保持機構が備えられる。本例では、空気圧（負圧）を用いて、用紙Ｐを外周面上に吸着保持する。このため、各搬送ドラム３１、４１、５１、６１の外周面には、多数の吸引穴が形成される。用紙Ｐは、この吸引穴から裏面を吸引されて、各搬送ドラム３１、４１、５１、６１の外周面上に吸着保持される。吸着保持機構は、静電気を利用した方式（いわゆる静電吸着方式）を採用することもできる。
【００６３】
処理液塗布部３０と画像記録部４０の間、画像記録部４０とインク乾燥部５０の間、インク乾燥部５０と定着部６０の間には、それぞれ渡し胴（回転搬送手段）８０、９０、１００が配置される。用紙Ｐは、この渡し胴８０、９０、１００によって、各部の間を搬送される。
【００６４】
各渡し胴８０、９０、１００は、円筒状の枠体で構成され、用紙幅に対応して形成される。各渡し胴８０、９０、１００は、図示しないモータに駆動されて回転する（図１において、時計回りに回転する。）。
【００６５】
各渡し胴８０、９０、１００の周面には、グリッパＧが備えられる。用紙Ｐは、このグリッパＧに先端部を把持されて搬送される。本例では、各渡し胴８０、９０、１００の外周部２箇所にグリッパＧが設置される。グリッパＧは、１８０°間隔で設置される。これにより、１回の回転で２枚の用紙を搬送することができる。
【００６６】
各渡し胴８０、９０、１００の下部には、用紙Ｐの搬送経路に沿って円弧状のガイド板８２、９２、１０２が配設される。渡し胴８０、９０、１００によって搬送される用紙Ｐは、このガイド板８２、９２、１０２に裏面（印刷面の反対側の面）をガイドされながら搬送される。
【００６７】
また、各渡し胴８０、９０、１００の内部には、渡し胴８０によって搬送される用紙Ｐに向けて熱風を吹き出すドライヤ８４、９４、１０４が設置される（本例では、用紙Ｐの搬送経路に沿って３台設置している。）。各渡し胴８０、９０、１００によって搬送される用紙Ｐは、その搬送過程でドライヤ８４、９４、１０４から吹き出された熱風が印刷面に吹き当てられる。これにより、各渡し胴８０、９０、１００による搬送過程で用紙Ｐを乾燥処理することができる。
【００６８】
なお、ドライヤ８４、９４、１０４は、熱風を吹き出して加熱する構成に代えて、赤外線ヒータ等から熱を放射して加熱する構成とすることもできる（いわゆる輻射による加熱）。
【００６９】
給紙部２０から給紙された用紙Ｐは、搬送ドラム３１→渡し胴８０→搬送ドラム４１→渡し胴９０→搬送ドラム５１→渡し胴１００→搬送ドラム６１の順で搬送され、最後に回収部７０で回収される。この給紙部２０から回収部７０で回収されるまでの間に用紙Ｐは所要の処理が施されて、印刷面に画像が記録される。
【００７０】
以下、本実施の形態のインクジェット記録装置１０の各部の構成について詳説する。
【００７１】
〈給紙部〉
給紙部２０は、枚葉の用紙Ｐを１枚ずつ周期的に給紙する。この給紙部２０は、主として、給紙装置２１と、給紙トレイ２２と、渡し胴２３とで構成される。
【００７２】
給紙装置２１は、図示しないマガジンにスタックされた用紙Ｐを上側から順に１枚ずつ給紙トレイ２２に給紙する。
【００７３】
給紙トレイ２２は、給紙装置２１から給紙された用紙Ｐを渡し胴２３に向けて送り出す。
【００７４】
渡し胴２３は、給紙トレイ２２から送り出された用紙Ｐを受け取り、回転して、処理液塗布部３０の搬送ドラム３１に受け渡す。
【００７５】
ここで、本実施の形態のインクジェット記録装置１０で使用する用紙Ｐは、一般の印刷用紙（インクジェット専用紙ではなく、一般のオフセット印刷などで使用される用紙（上質紙、コート紙、アート紙などのセルロースを主体とする用紙）が使用される。
【００７６】
一般の印刷用紙は、インクジェット方式で印刷すると、滲み等が発生し、画像の品位が損なわれる。そこで、このような不具合を防止するために、次の処理液塗布部３０で所定の処理液を用紙Ｐに塗布する。
【００７７】
〈処理液塗布部〉
処理液塗布部３０は、用紙Ｐの印刷面に所定の処理液を塗布する。この処理液塗布部３０は、主として、用紙Ｐを搬送する搬送ドラム（以下、「処理液塗布ドラム」という。）３１と、その処理液塗布ドラム３１によって搬送される用紙Ｐの印刷面に所定の処理液を塗布する塗布装置３２とで構成される。
【００７８】
処理液塗布ドラム３１は、給紙部２０の渡し胴２３から用紙Ｐを受け取り（グリッパＧで用紙Ｐの先端を把持して受け取る。）、回転して用紙Ｐを所定の搬送経路に沿って搬送する。
【００７９】
塗布装置３２は、処理液塗布ドラム３１によって搬送される用紙Ｐの印刷面に所定の処理液をローラ塗布する。すなわち、周面に処理液が付与された塗布ローラを処理液塗布ドラム３１によって搬送される用紙Ｐの印刷面に押圧当接させて、用紙Ｐの印刷面に処理液を塗布する。処理液は、一定の厚さで塗布される。
【００８０】
塗布装置３２で塗布する処理液は、インク組成物中の成分を凝集させる凝集剤を含む液体で構成される。
【００８１】
凝集剤としては、インク組成物のpHを変化させることができる化合物であっても、多価金属塩であっても、ポリアリルアミン類であってもよい。
【００８２】
pHを低下させ得る化合物としては、水溶性の高い酸性物質（リン酸、シュウ酸、マロン酸、クエン酸、若しくは、これらの化合物の誘導体、又は、これらの塩等）が好適に挙げられる。酸性物質は、１種単独で用いてもよく、また、２種以上を併用してもよい。これにより、凝集性を高め、インク全体を固定化することができる。
【００８３】
また、インク組成物のpH（２５℃）は、８．０以上であって、処理液のpH（２５℃）は、０．５〜４の範囲が好ましい。これにより、画像濃度、解像度及びインクジェット記録の高速化を図ることができる。
【００８４】
また、処理液には、添加剤を含有することができる。たとえば、乾燥防止剤（湿潤剤）、褪色防止剤、乳化安定剤、浸透促進剤、紫外線吸収剤、防腐剤、防黴剤、pH調整剤、表面張力調整剤、消泡剤、粘度調整剤、分散剤、分散安定剤、防錆剤、キレート剤等の公知の添加剤を含有することができる。
【００８５】
このような処理液を用紙Ｐの印刷面に事前に塗布して印刷することにより、フェザリングやブリーディング等の発生を防止でき、一般の印刷用紙を使用しても、高品位な印刷を行うことが可能になる。
【００８６】
以上の構成の処理液塗布部３０において、用紙Ｐは、処理液塗布ドラム３１に保持されて、所定の搬送経路を搬送される。そして、その搬送過程で塗布装置３２によって印刷面に処理液が塗布される。
【００８７】
印刷面に処理液が塗布された用紙Ｐは、その後、所定位置で処理液塗布ドラム３１から渡し胴８０に受け渡される。そして、渡し胴８０によって所定の搬送経路を搬送されて、画像記録部４０の搬送ドラム４１に受け渡される。
【００８８】
ここで、上記のように、渡し胴８０には、その内部にドライヤ８４が設置されており、ガイド板８２に向けて熱風が吹き出されている。用紙Ｐは、この渡し胴８０によって処理液塗布部３０から画像記録部４０に搬送される過程で印刷面に熱風が吹き当てられて、印刷面に塗布された処理液が乾燥される（処理液中の溶媒成分が蒸発除去される。）。
【００８９】
〈画像記録部〉
画像記録部４０は、用紙Ｐの印刷面にＣ、Ｍ、Ｙ、Ｋの各色のインク滴を打滴して、用紙Ｐの印刷面にカラー画像を描画する。この画像記録部４０は、主として、用紙Ｐを搬送する搬送ドラム（以下、「画像記録ドラム」という。）４１と、用紙Ｐの印刷面を押圧して、用紙Ｐの裏面を画像記録ドラム４１の周面に密着させる押圧ローラ４２と、用紙Ｐの浮きを検出する用紙浮き検出センサ４３と、用紙ＰにＣ、Ｍ、Ｙ、Ｋの各色のインク滴を吐出して、画像を描画するインクジェットヘッド４４Ｃ、４４Ｍ、４４Ｙ、４４Ｋと、押圧ローラ４２の直前の位置で用紙Ｐの表面（印刷面）を吸引して、用紙Ｐにバックテンションを付与するバックテンション付与装置３００とを備えて構成される。
【００９０】
画像記録ドラム４１は、渡し胴８０から用紙Ｐを受け取り（グリッパＧで用紙Ｐの先端を把持して受け取る。）、回転して用紙Ｐを所定の搬送経路に沿って搬送する。
【００９１】
押圧ローラ４２は、画像記録ドラム４１の幅とほぼ同じ幅で構成され、画像記録ドラム４１の用紙受取位置（渡し胴８０から用紙Ｐを受け取る位置）の近傍に配置される。渡し胴８０から画像記録ドラム４１に受け渡された用紙Ｐは、この押圧ローラ４２にニップされることにより、裏面が画像記録ドラム４１の外周面に密着される。
【００９２】
用紙浮き検出センサ４３は、押圧ローラ４２を通過した用紙Ｐの浮きを検出する（画像記録ドラム４１の外周面からの一定以上の浮きを検出する。）。この用紙浮き検出センサ４３は、レーザ光を投光するレーザ投光器４３Ａと、そのレーザ光を受光するレーザ受光器４３Ｂとで構成される。
【００９３】
レーザ投光器４３Ａは、画像記録ドラム４１の一端から他端に向けて画像記録ドラム４１の軸と平行なレーザ光を画像記録ドラム４１の外周面から所定高さの位置（浮きの許容範囲の上限の高さの位置）に投光する。
【００９４】
レーザ受光器４３Ｂは、画像記録ドラム４１による用紙Ｐの走行経路を挟んでレーザ投光器４３Ａと対向して配置され、レーザ投光器４３Ａから投光されたレーザ光を受光する。
【００９５】
画像記録ドラム４１によって搬送される用紙Ｐに許容値以上の浮きが生じていると、レーザ投光器４３Ａから投光されたレーザ光が用紙Ｐに遮光される。この結果、レーザ受光器４３Ｂで受光されるレーザ光の受光量が低下する。用紙浮き検出センサ４３は、このレーザ受光器４３Ｂで受光されるレーザ光の受光量を検出して、用紙Ｐの浮きを検出する。すなわち、レーザ受光器４３Ｂで受光されたレーザ光の受光量と閾値とを比較して、閾値以下の場合に浮き（許容値以上の浮き）が発生したと判定する。
【００９６】
許容値以上の浮きが検出されると、画像記録ドラム４１の回転が停止され、用紙Ｐの搬送が停止される。
【００９７】
なお、用紙浮き検出センサ４３は、レーザ投光器４３Ａから投光するレーザ光の高さ（画像記録ドラム４１の外周面からの高さ）を調整することができるように構成される。これにより、浮きの許容範囲を任意に設定することができる。
【００９８】
４台のインクジェットヘッド４４Ｃ、４４Ｍ、４４Ｙ、４４Ｋは、用紙浮き検出センサ４３の後段に配され、用紙Ｐの搬送方向に沿って一定の間隔で配置される。このインクジェットヘッド４４Ｃ、４４Ｍ、４４Ｙ、４４Ｋは、用紙幅に対応したラインヘッドで構成され、その下面（画像記録ドラム４１の外周面と対向する面）にノズル面が形成される。ノズル面には、用紙Ｐの搬送方向と直交する方向に一定のピッチでノズルが配置される（ノズル列）。各インクジェットヘッド４４Ｃ、４４Ｍ、４４Ｙ、４４Ｋは、このノズルから画像記録ドラム４１に向けてインク滴を吐出する。
【００９９】
本実施の形態のインクジェット記録装置１０で使用するインクは、水性紫外線硬化型インクであり、顔料、ポリマー粒子及び活性エネルギー線により重合する水溶性の重合性化合物を含有する。水性紫外線硬化型インクは、紫外線を照射することで硬化可能であり、耐察性に優れ膜強度が高いという性質を有する。
【０１００】
顔料は、その表面の少なくとも一部がポリマー分散剤で被覆された水分散性顔料が用いられる。
【０１０１】
ポリマー分散剤は、酸価が２５〜１０００(KOHmg/g)のポリマー分散剤が用いられる。自己分散性の安定性が良好、かつ、処理液が接触したときの凝集性が良好になる。
【０１０２】
ポリマー粒子は、酸価が２０〜５０(KOHmg/g)の自己分散性ポリマー粒子が用いられる。自己分散性の安定性が良好、かつ、処理液が接触したときの凝集性が良好になる。
【０１０３】
重合性化合物としては、凝集剤と顔料、ポリマー粒子との反応を妨げない点でノニオン性又はカチオン性の重合性化合物が好ましく、水に対する溶解度が１０質量%以上（更には１５質量%以上）の重合性化合物を用いることが好ましい。
【０１０４】
また、インクは、活性エネルギー線により重合性化合物の重合を開始する開始剤を含有する。開始剤は、活性エネルギー線により重合反応を開始し得る化合物を適宜選択して含有することができ、たとえば、放射線若しくは光又は電子線により活性種（ラジカル、酸、塩基など）を発生する開始剤（たとえば、光重合開始剤等）を用いることができる。なお、開始剤は処理液に含有させることもでき、インクと処理液の少なくとも一方に含有させればよい。
【０１０５】
また、インクは水を５０〜７０質量%含有する。また、インクには添加剤を含有することができる。たとえば、水溶性有機溶媒や乾燥防止剤（湿潤剤）、褪色防止剤、乳化安定剤、浸透促進剤、紫外線吸収剤、防腐剤、防黴剤、pH調整剤、表面張力調整剤、消泡剤、粘度調整剤、分散剤、分散安定剤、防錆剤、キレート剤等の公知の添加剤を含有することができる。
【０１０６】
バックテンション付与装置３００は、画像記録ドラム４１によって搬送される用紙Ｐが、押圧ローラ４２によって押圧される直前の位置（画像記録ドラム４１と押圧ローラ４２との間に進入する直前の位置）で用紙Ｐの上面を吸引して、用紙Ｐにバックテンションを付与する。このバックテンション付与装置３００は、用紙ガイド３１０によって用紙Ｐの上面を吸引して、用紙Ｐにバックテンションを付与する。用紙ガイド３１０は、用紙Ｐの上面が摺接されるガイド面を備え、そのガイド面に形成された吸引穴から用紙Ｐの上面を吸引する。
【０１０７】
このバックテンション付与装置３００によって、押圧ローラ４２に押圧される直前の用紙Ｐにバックテンションを付与することにより、シワを発生させることなく、押圧ローラ４２で用紙Ｐを画像記録ドラム４１の外周面に密着させることができる。
【０１０８】
なお、このバックテンション付与装置３００の構成については、のちに詳述する。
【０１０９】
以上の構成の画像記録部４０において、用紙Ｐは、画像記録ドラム４１によって所定の搬送経路を搬送される。渡し胴８０から画像記録ドラム４１に受け渡された用紙Ｐは、バックテンション付与装置３００によってバックテンションが付与されながら押圧ローラ４２でニップされて、画像記録ドラム４１の外周面に密着される。次いで、用紙浮き検出センサ４３によって、浮きの有無が検出され、その後、各インクジェットヘッド４４Ｃ、４４Ｍ、４４Ｙ、４４ＫからＣ、Ｍ、Ｙ、Ｋの各色のインク滴が印刷面に打滴されて、印刷面にカラー画像が描画される。
【０１１０】
なお、用紙Ｐの浮きが検出された場合は、搬送が停止される。これにより、浮いた用紙Ｐが、インクジェットヘッド４４Ｃ、４４Ｍ、４４Ｙ、４４Ｋのノズル面に接触するのを防止できる。
【０１１１】
上記のように、本例のインクジェット記録装置１０では、各色ともに水性インクが使用される。このような水性インクを用いた場合であっても、上記のように、用紙Ｐには処理液が塗布されているので、一般の印刷用紙を用いた場合であっても、高品位な印刷を行うことができる。
【０１１２】
画像が描画された用紙Ｐは、渡し胴９０に受け渡される。そして、渡し胴９０によって所定の搬送経路を搬送されて、インク乾燥部５０の搬送ドラム５１に受け渡される。
【０１１３】
ここで、上記のように、渡し胴９０には、その内部にドライヤ９４が設置されており、ガイド板９２に向けて熱風が吹き出されている。インクの乾燥処理は、後段のインク乾燥部５０で行われるが、用紙Ｐは、この渡し胴９０による搬送時にも乾燥処理が施される。
【０１１４】
なお、図示されていないが、この画像記録部４０には、インクジェットヘッド４４Ｃ、４４Ｍ、４４Ｙ、４４Ｋのメンテナンスを行うメンテナンス部が備えられており、インクジェットヘッド４４Ｃ、４４Ｍ、４４Ｙ、４４Ｋは、必要に応じてメンテナンス部に移動して、所要のメンテナンスができるように構成されている。
【０１１５】
〈インク乾燥部〉
インク乾燥部５０は、画像記録後の用紙Ｐに残存する液体成分を乾燥させる。このインク乾燥部５０は、主として、用紙Ｐを搬送する搬送ドラム（以下、「インク乾燥ドラム」という。）５１と、インク乾燥ドラム５１によって搬送される用紙Ｐに対して乾燥処理を施すインク乾燥装置５２とで構成される。
【０１１６】
インク乾燥ドラム５１は、渡し胴９０から用紙Ｐを受け取り（グリッパＧで用紙Ｐの先端を把持して受け取る。）、回転して用紙Ｐを所定の搬送経路に沿って搬送する。
【０１１７】
インク乾燥装置５２は、たとえば、ドライヤで構成され（本例では用紙Ｐの搬送経路に沿って配設された３台のドライヤで構成）、インク乾燥ドラム５１によって搬送される用紙Ｐに向けて熱風（たとえば、８０℃）を吹き付ける。
【０１１８】
以上の構成のインク乾燥部５０において、用紙Ｐは、インク乾燥ドラム５１によって所定の搬送経路を搬送される。そして、その搬送過程で印刷面にインク乾燥装置５２から熱風が吹き付けられて、印刷面に付与されたインクが乾燥される（溶媒成分が蒸発除去される。）。
【０１１９】
インク乾燥装置５２を通過した用紙Ｐは、その後、所定位置でインク乾燥ドラム５１から渡し胴１００に受け渡される。そして、渡し胴１００によって所定の搬送経路を搬送されて、定着部６０の搬送ドラム６１に受け渡される。
【０１２０】
なお、上記のように、渡し胴１００には、その内部にドライヤ１０４が設置されており、ガイド板１０２に向けて熱風が吹き出されている。したがって、用紙Ｐは、この渡し胴１００での搬送時にも乾燥処理が施される。
【０１２１】
〈定着部〉
定着部６０は、用紙Ｐを加熱加圧して、印刷面に画像記録された画像を定着させる。この定着部６０は、主として、用紙Ｐを搬送する搬送ドラム（以下、「定着ドラム」という。）６１と、用紙Ｐの印刷面に紫外線を当てる紫外線照射光源６２と、印刷後の用紙Ｐの温度、湿度等を検出するとともに、印刷された画像を撮像するインラインセンサ６４とで構成される。
【０１２２】
定着ドラム６１は、渡し胴１００から用紙Ｐを受け取り（グリッパＧで用紙Ｐの先端を把持して受け取る。）、回転して用紙Ｐを所定の搬送経路に沿って搬送する。
【０１２３】
紫外線照射光源６２は、定着ドラム６１によって搬送される用紙Ｐの印刷面に紫外線を照射して、処理液とインクとの凝集体を固化させる。
【０１２４】
インラインセンサ６４は、温度計、湿度計、ＣＣＤラインセンサ等を備え、定着ドラム６１によって搬送される用紙Ｐの温度、湿度等を検出するとともに、用紙Ｐに印刷された画像を読み取る。このインラインセンサ６４の検出結果に基づいて、装置の異常やヘッドの吐出不良等がチェックされる。
【０１２５】
以上の構成の定着部６０において、用紙Ｐは、定着ドラム６１によって所定の搬送経路を搬送される。そして、その搬送過程で紫外線照射光源６２から印刷面に紫外線が照射され、処理液とインクとの凝集体が固化される。
【０１２６】
定着処理が施された用紙Ｐは、この後、所定位置で定着ドラム６１から回収部７０へと受け渡される。
【０１２７】
〈回収部〉
回収部７０は、一連の印刷処理が行われた用紙Ｐをスタッカ７１に積み重ねて回収する。この回収部７０は、主として、用紙Ｐを回収するスタッカ７１と、定着部６０で定着処理された用紙Ｐを定着ドラム６１から受け取り、所定の搬送経路を搬送して、スタッカ７１に排紙する排紙コンベア７２とで構成される。
【０１２８】
定着部６０で定着処理された用紙Ｐは、定着ドラム６１から排紙コンベア７２に受け渡され、その排紙コンベア７２によってスタッカ７１まで搬送されて、スタッカ７１内に回収される。
【０１２９】
《制御系》
図２は、本実施の形態のインクジェット記録装置の制御系の概略構成を示すブロック図である。
【０１３０】
同図に示すように、インクジェット記録装置１０は、システムコントローラ２００、通信部２０１、画像メモリ２０２、搬送制御部２０３、給紙制御部２０４、処理液塗布制御部２０５、画像記録制御部２０６、インク乾燥制御部２０７、定着制御部２０８、回収制御部２０９、操作部２１０、表示部２１１等を備えている。
【０１３１】
システムコントローラ２００は、インクジェット記録装置１０の各部を統括制御する制御手段として機能するとともに、各種演算処理を行う演算手段として機能する。このシステムコントローラ２００は、ＣＰＵ、ＲＯＭ、ＲＡＭ等を備えており、所定の制御プログラムに従って動作する。ＲＯＭには、このシステムコントローラ２００が、実行する制御プログラムや制御に必要な各種データが格納されている。
【０１３２】
通信部２０１は、所要の通信インターフェースを備え、その通信インターフェースと接続されたホストコンピュータとの間でデータの送受信を行う。
【０１３３】
画像メモリ２０２は、画像データを含む各種データの一時記憶手段として機能し、システムコントローラ２００を通じてデータの読み書きが行われる。通信部２０１を介してホストコンピュータから取り込まれた画像データは、この画像メモリ２０２に格納される。
【０１３４】
搬送制御部２０３は、処理液塗布部３０、画像記録部４０、インク乾燥部５０、定着部６０の各部における用紙Ｐの搬送手段である搬送ドラム３１、４１、５１、６１と、渡し胴８０、９０、１００の駆動を制御する。
【０１３５】
すなわち、各搬送ドラム３１、４１、５１、６１を駆動するモータの駆動を制御するとともに、各搬送ドラム３１、４１、５１、６１に備えられた、グリッパＧの開閉を制御する。
【０１３６】
同様に各渡し胴８０、９０、１００を駆動するモータの駆動を制御するとともに、各渡し胴８０、９０、１００に備えられた、グリッパＧの開閉を制御する。
【０１３７】
また、各搬送ドラム３１、４１、５１、６１には、用紙Ｐを周面に吸着保持する機構が備えられているので、その吸着保持機構の駆動を制御する（本実施の形態では、用紙Ｐを真空吸着するので、負圧発生手段としての真空ポンプの駆動を制御する。）。
【０１３８】
また、各渡し胴８０、９０、１００には、ドライヤ８４、９４、１０４が備えられているので、その駆動（加熱量と送風量）を制御する。
【０１３９】
この搬送ドラム３１、４１、５１、６１と、渡し胴８０、９０、１００の駆動は、システムコントローラ２００からの指令に応じて制御される。
【０１４０】
給紙制御部２０４は、システムコントローラ２００からの指令に応じて給紙部２０を構成する各部（給紙装置２１、渡し胴２３等）の駆動を制御する。
【０１４１】
処理液塗布制御部２０５は、システムコントローラ２００からの指令に応じて処理液塗布部３０を構成する各部（塗布装置３２等）の駆動を制御する。
【０１４２】
画像記録制御部２０６は、システムコントローラ２００からの指令に応じて画像記録部４０を構成する各部（押圧ローラ４２、用紙浮き検出センサ４３、インクジェットヘッド４４Ｃ、４４Ｍ、４４Ｙ、４４Ｋ、バックテンション付与装置３００等）の駆動を制御する。
【０１４３】
インク乾燥制御部２０７は、システムコントローラ２００からの指令に応じてインク乾燥部５０を構成する各部（インク乾燥装置５２等）の駆動を制御する。
【０１４４】
定着制御部２０８は、システムコントローラ２００からの指令に応じて定着部６０を構成する各部（紫外線照射光源６２、インラインセンサ６４等）の駆動を制御する。
【０１４５】
回収制御部２０９は、システムコントローラ２００からの指令に応じて回収部７０を構成する各部（排紙コンベア７２等）の駆動を制御する。
【０１４６】
操作部２１０は、所要の操作手段（たとえば、操作ボタンやキーボード、タッチパネル等）を備えており、その操作手段から入力された操作情報をシステムコントローラ２００に出力する。システムコントローラ２００は、この操作部２１０から入力された操作情報に応じて各種処理を実行する。
【０１４７】
表示部２１１は、所要の表示装置（たとえば、ＬＣＤパネル等）を備えており、システムコントローラ２００からの指令に応じて所要の情報を表示装置に表示させる。
【０１４８】
上記のように、用紙に記録する画像データは、ホストコンピュータから通信部２０１を介してインクジェット記録装置１０に取り込まれ、画像メモリ２０２に格納される。システムコントローラ２００は、この画像メモリ２０２に格納された画像データに所要の信号処理を施してドットデータを生成し、生成したドットデータに従って画像記録部４０の各インクジェットヘッドの駆動を制御することにより、その画像データが表す画像を用紙に記録する。
【０１４９】
ドットデータは、一般に画像データに対して色変換処理、ハーフトーン処理を行って生成される。色変換処理は、ｓＲＧＢなどで表現された画像データ（たとえば、ＲＧＢ８ビットの画像データ）をインクジェット記録装置１０で使用するインクの各色のインク量データに変換する処理である（本例では、Ｃ、Ｍ、Ｙ、Ｋの各色のインク量データに変換する。）。ハーフトーン処理は、色変換処理により生成された各色のインク量データに対して誤差拡散等の処理で各色のドットデータに変換する処理である。
【０１５０】
システムコントローラ２００は、画像データに対して色変換処理、ハーフトーン処理を行って各色のドットデータを生成する。そして、生成した各色のドットデータに従って、対応するインクジェットヘッドの駆動を制御することにより、画像データが表す画像を用紙に記録する。
【０１５１】
《印刷動作》
次に、上記のインクジェット記録装置１０による印刷動作について概説する。
【０１５２】
システムコントローラ２００から給紙装置２１に給紙指令が出力されると、給紙装置２１から給紙トレイ２２に用紙Ｐが給紙される。給紙トレイ２２に給紙された用紙Ｐは、渡し胴２３を介して処理液塗布部３０の処理液塗布ドラム３１に受け渡される。
【０１５３】
処理液塗布ドラム３１に受け渡された用紙Ｐは、処理液塗布ドラム３１によって所定の搬送経路を搬送され、その搬送過程で塗布装置３２によって印刷面に処理液が塗布される。
【０１５４】
処理液が塗布された用紙Ｐは、処理液塗布ドラム３１から渡し胴８０に受け渡される。そして、その渡し胴８０によって所定の搬送経路を搬送されて、画像記録部４０の画像記録ドラム４１に受け渡される。用紙Ｐは、その渡し胴８０による搬送過程で渡し胴８０の内部に設置されたドライヤ８４から印刷面に熱気が吹き付けられ、印刷面に塗布された処理液が乾燥される。
【０１５５】
渡し胴８０から画像記録ドラム４１に受け渡された用紙Ｐは、まず、押圧ローラ４２にニップされて、裏面が画像記録ドラム４１の外周面に密着される。
【０１５６】
押圧ローラ４２を通過した用紙Ｐは、その後、用紙浮き検出センサ４３によって浮きの有無が検出される。ここで、用紙Ｐの浮きが検出されると、搬送が停止される。一方、浮きが検出されない場合は、そのままインクジェットヘッド４４Ｃ、４４Ｍ、４４Ｙ、４４Ｋに向けて搬送される。そして、各インクジェットヘッド４４Ｃ、４４Ｍ、４４Ｙ、４４Ｋの下を通過する際、各インクジェットヘッド４４Ｃ、４４Ｍ、４４Ｙ、４４ＫからＣ、Ｍ、Ｙ、Ｋの各色のインク滴が吐出されて、印刷面にカラー画像が描画される。
【０１５７】
画像が描画された用紙Ｐは、画像記録ドラム４１から渡し胴９０に受け渡される。そして、その渡し胴９０によって所定の搬送経路を搬送されて、インク乾燥部５０のインク乾燥ドラム５１に受け渡される。用紙Ｐは、その渡し胴９０による搬送過程で渡し胴９０の内部に設置されたドライヤ９４から印刷面に熱気が吹き付けられて、印刷面に付与されたインクが乾燥される。
【０１５８】
インク乾燥ドラム５１に受け渡された用紙Ｐは、インク乾燥ドラム５１によって所定の搬送経路を搬送される。そして、その搬送過程でインク乾燥装置５２から熱風が印刷面に吹き付けられて、印刷面に残存する液体成分が乾燥される。
【０１５９】
乾燥処理された用紙Ｐは、インク乾燥ドラム５１から渡し胴１００に受け渡される。そして、その渡し胴１００によって所定の搬送経路を搬送されて、定着部６０の定着ドラム６１に受け渡される。用紙Ｐは、その渡し胴１００による搬送過程で渡し胴１００の内部に設置されたドライヤ１０４から印刷面に熱気が吹き付けられ、印刷面に付与されたインクが、更に乾燥される。
【０１６０】
定着ドラム６１に受け渡された用紙Ｐは、定着ドラム６１によって所定の搬送経路を搬送される。そして、その搬送過程で印刷面に紫外線が照射され、描画された画像が用紙Ｐに定着される。用紙Ｐは、この後、定着ドラム６１から回収部７０の排紙コンベア７２に受け渡され、排紙コンベア７２によってスタッカ７１まで搬送されて、スタッカ７１内に排紙される。
【０１６１】
以上のように、本例のインクジェット記録装置１０では、用紙Ｐをドラム搬送し、その搬送過程で用紙Ｐに対し、処理液の塗布、乾燥、インク滴の打滴、乾燥、定着の各処理を施して、用紙Ｐに所定の画像を記録する。
【０１６２】
《画像記録部における用紙搬送機構の詳細》
図３は、画像記録部の用紙搬送機構の概略構成を示す側面図である。また、図４は、画像記録部の用紙搬送機構の概略構成を示す斜視図である。
【０１６３】
上記のように、画像記録部４０は、用紙Ｐを搬送する画像記録ドラム４１と、その画像記録ドラム４１に搬送される用紙Ｐをニップして、画像記録ドラム４１の周面に密着させる押圧ローラ４２と、画像記録ドラム４１によって搬送される用紙Ｐの浮きを検出する用紙浮き検出センサ４３と、画像記録ドラム４１によって搬送される用紙Ｐにインク滴を吐出するインクジェットヘッド４４Ｃ、４４Ｍ、４４Ｙ、４４Ｋと、押圧ローラ４２の直前の位置で用紙Ｐの表面（印刷面）を吸引して、用紙Ｐにバックテンションを付与するバックテンション付与装置３００とを備えて構成される。
【０１６４】
画像記録ドラム４１は、渡し胴８０によって搬送される用紙Ｐを所定の受取位置Ａで受け取り、軸回りに回転して、用紙Ｐを円弧状の搬送経路に沿って搬送する。この際、用紙Ｐを外周面上に吸着保持して搬送する。すなわち、画像記録ドラム４１の周面には、多数の吸引穴が一定のパターンで形成されており、この吸引穴を介して内部から空気を吸引することにより、外周面上に巻き掛けられた用紙Ｐを吸着保持する。
【０１６５】
なお、本実施の形態の画像記録ドラム４１では、吸着の作動範囲が限定されており、所定の吸着開始位置Ｂから吸着終了位置Ｃの範囲でのみ吸着が作動する。ここで、吸着開始位置Ｂは、受取位置Ａから一定距離離れた位置（一定角度回転した位置）に設定され、吸着終了位置Ｃは渡し胴９０に用紙Ｐを受け渡す位置に設定される。したがって、用紙Ｐは、受取位置Ａから一定距離搬送された後、吸着が開始される。
【０１６６】
図４に示すように、押圧ローラ４２は、画像記録ドラム４１の幅とほぼ同じ幅を有するゴムローラ（外周部がゴムで被覆されたローラ）で構成され、用紙Ｐの搬送方向に対してインクジェットヘッドの上流位置に配置される。本例では吸着開始位置Ｂに配置される。
【０１６７】
押圧ローラ４２は、軸部の両端を図示しない軸受に軸支されて、画像記録ドラム４１と平行に配置される（用紙Ｐの搬送方向と直交して配置される。）。軸受は、図示しない押圧機構（たとえば、バネ）に押圧されて、画像記録ドラム４１に向けて付勢される。これにより、押圧ローラ４２が画像記録ドラム４１の外周面に押圧当接される。
【０１６８】
受取位置で画像記録ドラム４１に受け渡された用紙Ｐは、吸着開始位置Ｂまで搬送されると、押圧ローラ４２にニップされて、画像記録ドラム４１の外周面に密着される。また、これと同時に吸引が開始される。
【０１６９】
用紙浮き検出センサ４３は、押圧ローラ４２を通過した用紙Ｐの浮きを検出する。したがって、用紙浮き検出センサ４３は、押圧ローラ４２の後段（画像記録ドラム４１による用紙Ｐの搬送方向の下流側）に設置される。
【０１７０】
図４に示すように、この用紙浮き検出センサ４３は、レーザ光を投光するレーザ投光器４３Ａと、そのレーザ光を受光するレーザ受光器４３Ｂとで構成される。
【０１７１】
レーザ投光器４３Ａは、画像記録ドラム４１の幅方向の一端から他端に向けて画像記録ドラム４１の軸と平行なレーザ光を画像記録ドラム４１の外周面から所定高さの位置（浮きの許容範囲の上限の高さの位置）に投光する。
【０１７２】
レーザ受光器４３Ｂは、画像記録ドラム４１による用紙Ｐの走行経路を挟んでレーザ投光器４３Ａと対向して配置され、レーザ投光器４３Ａから投光されたレーザ光を受光する。レーザ受光器４３Ｂは、受光したレーザ光の受光量を検出し、その検出結果をシステムコントローラ２００に出力する。
【０１７３】
システムコントローラ２００は、得られた受光量の情報に基づいて、用紙Ｐの浮きを検出する。すなわち、用紙Ｐに許容値以上の浮きが生じると、レーザ投光器４３Ａから投光されるレーザ光が用紙Ｐに遮られる。この結果、レーザ受光器４３Ｂで受光されるレーザ光の受光量が低下する。システムコントローラ２００は、このレーザ受光器４３Ｂで受光されるレーザ光の受光量と閾値とを比較し、受光量が閾値以下になった場合に浮き（許容値以上の浮き）が発生したと判定して、これを検出する。これにより、用紙Ｐの浮きを検出することができる。
【０１７４】
システムコントローラ２００は、許容値以上の浮きを検出すると、画像記録ドラム４１の回転を停止し、用紙Ｐの搬送を停止する。これにより、浮いた用紙Ｐが、インクジェットヘッドのノズル面に接触するのを防止することができる。
【０１７５】
なお、用紙浮き検出センサ４３は、レーザ投光器４３Ａとレーザ受光器４３Ｂで投光・受光するレーザ光の高さ（画像記録ドラム４１の外周面からの高さ）を調整可能に構成される。これにより、用紙Ｐの厚さ等に応じて、浮きの許容範囲を任意に設定することができる。
【０１７６】
投光・受光するレーザ光の高さの調整は、たとえば、レーザ投光器４３Ａとレーザ受光器４３Ｂの設置高さを変えることにより行われる。この他、レーザ投光器４３Ａとレーザ受光器４３Ｂの前に角度調整可能な透明平行平板（たとえば、硝子平行平板）を設置し、屈折を利用して、投光・受光するレーザ光の高さの調整を調整することもできる（透明平行平板をレーザ光に対して直交して配置すれば、レーザ光は直進するが、傾けて設置することにより、入射時と出射時に屈折して、高さの調整を行うことができる。）。
【０１７７】
また、レーザ投光器４３Ａとレーザ受光器４３Ｂの前段にアパーチャを設置することにより、不要な光を排除でき、より高精度な検出を行うことができる。
【０１７８】
バックテンション付与装置３００は、図３に示すように、画像記録ドラム４１によって搬送される用紙Ｐが、押圧ローラ４２によって押圧される直前の位置（画像記録ドラム４１と押圧ローラ４２との間に進入する直前の位置）で用紙Ｐの上面を吸引して、用紙Ｐにバックテンションを付与する。
【０１７９】
バックテンション付与装置３００は、主として、用紙ガイド３１０と、真空ポンプ３１２とで構成される。
【０１８０】
用紙ガイド３１０は、用紙Ｐの搬送方向と平行な断面が台形状をした中空のボックス形状（末広がりのボックス状）に形成され、用紙幅に対応して形成される。したがって、その幅（用紙Ｐの搬送方向と直交する方向の幅）は、画像記録ドラム４１の幅とほぼ同じに形成される。
【０１８１】
用紙ガイド３１０の画像記録ドラム側の面（下面）は、用紙Ｐの表面（印刷面）を吸引するとともに、用紙Ｐの走行をガイドするガイド面３１６とされ、平坦に形成される。
【０１８２】
用紙ガイド３１０は、押圧ローラ４２に近接して設置されるとともに、ガイド面３１６が、押圧ローラ４２の設置点（押圧ローラ４２と画像記録ドラム４１の外周面とが接する点（本例では吸着開始位置Ｂ））における画像記録ドラム４１の接線Ｔに沿うように配置される（ガイド面３１６の延長線上に押圧ローラ４２の設置点が位置するように配置される。）。
【０１８３】
図５は、用紙ガイドの下面図（ガイド面の平面図）である。同図に示すように、ガイド面３１６には、吸引穴３１８が形成される。吸引穴３１８は、スリット状に形成され、用紙Ｐの搬送方向と直交する方向に形成される（押圧ローラ４２の軸と平行に形成される。）。吸引穴３１８は、中空状に形成された用紙ガイドの内部（中空部）と連通される。
【０１８４】
吸引穴３１８の本数は、特に限定されない。ガイド面３１６の前後方向（用紙Ｐの搬送方向）の長さ等に応じて適宜設定される。本例では、用紙Ｐの搬送方向の前後に２本の吸引穴３１８が形成されている。
【０１８５】
用紙ガイド３１０の上面（ガイド面３１６と反対側の面）には、中央部に吸引口３２０が形成される。吸引口３２０は、中空状に形成された用紙ガイド３１０の内部（中空部）と連通される。この吸引口３２０から空気を吸引することにより、ガイド面３１６に形成された吸引穴３１８から空気が吸引される。
【０１８６】
また、用紙ガイド３１０の上面には、真空防止穴３２２が形成される。真空防止穴３２２は、用紙ガイド３１０の内部の圧を逃がして、過剰な吸引力が作用するのを防止する。真空防止穴３２２は、このように過剰な吸引力が作用するのを防止するためのものであるため、その設置位置、大きさ、設置数は、当該目的が適う範囲で適宜調整される。
【０１８７】
真空ポンプ３１２は、吸引配管３１４を介して用紙ガイド３１０の吸引口３２０と接続される。この真空ポンプ３１２を駆動することにより、用紙ガイド３１０の内部（中空部）が吸引され、ガイド面３１６に形成された吸引穴３１８からエアが吸引される。真空ポンプ３１２の駆動は、画像記録制御部２０６を介してシステムコントローラ２００に制御される。
【０１８８】
バックテンション付与装置３００は、以上のように構成される。
【０１８９】
《画像記録部における用紙搬送機構の作用》
上記のように、用紙Ｐは、渡し胴８０から画像記録ドラム４１に受け渡される。画像記録ドラム４１は、所定の受取位置Ａで渡し胴８０から用紙Ｐを受け取る。
【０１９０】
用紙Ｐの受け取りは、グリッパＧで用紙Ｐの先端を把持することにより行われる。この用紙Ｐの受け取りは、回転しながら行われる。
【０１９１】
先端がグリッパＧで把持された用紙Ｐは、画像記録ドラム４１の回転によって搬送される。そして、押圧ローラ４２の設置位置で押圧ローラ４２によって表面（印刷面）が押圧され、画像記録ドラム４１の外周面に密着される。
【０１９２】
ここで、本例のインクジェット記録装置１０には、押圧ローラ４２の手前（用紙Ｐの搬送方向の上流側）に用紙ガイド３１０が設置されている。
【０１９３】
用紙ガイド３１０のガイド面３１６は、画像記録ドラム４１の外周から離間して設置されているが、ガイド面３１６に形成された吸引穴３１８からは、インクジェット記録装置１０の稼動と同時に空気が吸引される（真空ポンプ３１２が駆動される。）。
【０１９４】
この結果、画像記録ドラム４１によって搬送される用紙Ｐは、押圧ローラ４２に押圧される直前の位置で表面（印刷面）が吸引穴３１８に吸引され、表面がガイド面３１６に吸着されながら搬送される（表面がガイド面３１６の上を摺接しながら搬送される。）。これにより、押圧ローラ４２と画像記録ドラム４１との間に進入してゆく用紙Ｐにバックテンションが付与される。
【０１９５】
このように、本実施の形態の用紙搬送機構では、用紙Ｐが、押圧ローラ４２と画像記録ドラム４１との間に進入する直前の位置で用紙Ｐの表面が吸引されて、バックテンションが付与される。これにより、押圧ローラ４２で表面を押圧して、画像記録ドラム４１の外周に密着させる際、シワを発生させることなく、密着させることができる。
【０１９６】
また、本実施の形態の用紙搬送機構では、ガイド面３１６が押圧ローラ４２の設置点における画像記録ドラム４１の接線Ｔに沿うように配置されるので、用紙Ｐをスムーズに押圧ローラ４２と画像記録ドラム４１との間に進入させることができる。これにより、より効果的にシワの発生を防止することができる。
【０１９７】
更に本実施の形態の用紙搬送機構では、用紙Ｐの表面を吸引する構成であるため、たとえば、印刷処理対象の用紙Ｐの裏面にすでに画像が記録されている場合であっても、その画像を傷付けることなく搬送することができる。また、吸引により、用紙Ｐの表面に付着した塵埃等も取り除くことができる。
【０１９８】
用紙ガイド３１０によってバックテンションが付与された状態で押圧ローラ４２と画像記録ドラム４１との間に進入した用紙Ｐは、押圧ローラ４２によって表面が押圧され、画像記録ドラム４１の外周面に密着する。
【０１９９】
画像記録ドラム４１は、押圧ローラ４２の設置点から吸引が作動するので、用紙Ｐは、押圧ローラ４２による押圧と同時に裏面が、画像記録ドラム４１の外周面に形成された吸引穴から吸引され、画像記録ドラム４１の外周面上に吸着保持される。
【０２００】
用紙Ｐは、画像記録ドラム４１の外周面上に吸着保持された状態でインクジェットヘッド４４Ｃ、４４Ｍ、４４Ｙ、４４Ｋの設置部を通過し、その表面に画像が記録される。
【０２０１】
以上説明したように、本実施の形態の用紙搬送機構によれば、押圧ローラ４２の近傍位置で用紙Ｐにバックテンションを付与する。これにより、用紙Ｐの先端から後端までバックテンションを付与した状態で用紙Ｐを押圧ローラ４２と画像記録ドラム４１との間に進入させることができる。これにより、押圧ローラ４２で用紙Ｐを画像記録ドラム４１の外周に密着させる際、シワを発生させることなく密着させることができる。特に、本実施の形態では、押圧ローラ４２が、用紙Ｐの受取位置Ａから離れた位置に設置され、かつ、押圧ローラ４２の設置位置から画像記録ドラム４１による用紙Ｐの吸引が開始されるように構成されているため、押圧ローラ４２の近傍位置で用紙Ｐにバックテンションを付与することにより、押圧時に用紙Ｐに発生するシワを効果的に防止することができる。
【０２０２】
また、本実施の形態では、ガイド面３１６が押圧ローラ４２の設置点における画像記録ドラム４１の接線Ｔに沿うように配置されるので、用紙Ｐをスムーズに押圧ローラ４２と画像記録ドラム４１との間に進入させることができる。
【０２０３】
更に本実施の形態の用紙搬送機構では、用紙Ｐの表面を吸引する構成であるため、たとえば、印刷処理対象の用紙Ｐの裏面にすでに画像が記録されている場合であっても、その画像を傷付けることなく搬送することができる。
【０２０４】
≪ガイド面の他の形態≫
上記実施の形態では、用紙ガイド３１０のガイド面３１６の形状を平坦としている。ガイド面３１６の形状を平坦にすることにより、用紙Ｐをまっすぐな状態にして、画像記録ドラム４１と押圧ローラ４２との間に進入させることができる。ただし、ガイド面３１６の形状は、これに限定されるものではない。以下、用紙ガイド３１０のガイド面３１６の他の態様について説明する。
【０２０５】
図６は、用紙ガイドのガイド面の他の態様を示す図である。
【０２０６】
同図（ａ）は、ガイド面３１６の前後方向（用紙Ｐの搬送方向と平行な方向）の断面の形状を画像記録ドラム４１に向けて凸となる円弧状としたものである。
【０２０７】
また、同図（ｂ）は、ガイド面３１６の前後方向（用紙Ｐの搬送方向と平行な方向）の断面の形状を画像記録ドラム４１に対して凹となる円弧状としたものである。
【０２０８】
このように、用紙Ｐの搬送方向と平行な方向の断面の形状を円弧状にすることにより、用紙Ｐの接触面積を増やすことができる。これにより、吸着保持力を増すことができるとともに、安定した用紙Ｐのガイドを行うことができる。
【０２０９】
なお、同図に示す例では、吸引穴３１８をガイド面３１６の前後方向の中央にのみ形成しているが、前後方向に沿って複数箇所に形成することもできる。これにより、より接触面積を増やすことができる。
【０２１０】
また、円弧の曲率については、用紙ガイド３１０の設置位置等を考慮して設定し、用紙Ｐを押圧ローラ４２と画像記録ドラム４１との間にガイドしやすいように設定することが好ましい。
【０２１１】
図７は、用紙ガイドのガイド面の更に他の態様を示す図である。
【０２１２】
同図に示すように、このガイド面３１６は、前後方向（用紙Ｐの搬送方向と平行な方向）の断面の形状を波形とし、その谷部に吸引穴３１８を形成したものである。
【０２１３】
このように形成することにより、用紙Ｐが谷部に向かって引っ張られるように撓むため、吸着保持力をより高めることができる。
【０２１４】
この場合、谷部に形成する吸引穴３１８は、スリット状でもよいし、丸穴又は長穴として、谷部に沿って一定ピッチで形成するようにしてもよい。
【０２１５】
図８は、用紙ガイドのガイド面の更に他の態様を示す図である。
【０２１６】
同図（ａ）は、ガイド面３１６の幅方向（用紙Ｐの搬送方向と直交する方向）の断面の形状を画像記録ドラム４１に向けて凸となる円弧状としたものである。
【０２１７】
また、同図（ｂ）は、ガイド面３１６の幅方向（用紙Ｐの搬送方向と直交する方向）の断面の形状を画像記録ドラム４１に対して凹となる円弧状としたものである。
【０２１８】
このように、用紙Ｐの搬送方向と直交する方向の断面の形状を円弧状にすることにより、平坦な形状の場合と比べて、用紙Ｐが反る方向に倣うため、用紙Ｐの弛みを防止することができる。これにより、押圧ローラ４２による押圧時に発生するシワの発生をより効果的に防止することができる。また、図８（ａ）のように、画像記録ドラム４１に向けて凸となる円弧状とすることにより、用紙Ｐの中央から両端方向に順に画像記録ドラム４１に密着させることができ、より効果的にシワの発生を防止することができる。
【０２１９】
なお、用紙Ｐの搬送方向と直交する方向の断面の形状を円弧状にしつつ、用紙Ｐの搬送方向と平行な方向の断面の形状を円弧状又は波形とすることもできる。これにより、双方の効果を得ることができる。
【０２２０】
ガイド面３１６の形状は、使用する用紙Ｐの種類、紙厚等に応じて、適宜最適なものを選択することが好ましい。
【０２２１】
≪吸引穴の他の形態≫
上記実施の形態では、ガイド面３１６に形成する吸引穴３１８の形状をスリット状とし、用紙Ｐの搬送方向と直交するように形成している。このような形状の吸引穴３１８は、用紙Ｐを幅方向に連続的に吸着することができ、高い保持力を得ることができる。
【０２２２】
吸引穴３１８の形状は、種々の態様を採用することができ、使用する用紙Ｐの種類、紙厚等に応じて、適宜最適なものを選択することが好ましい。以下、このガイド面３１６に形成される吸引穴３１８の他の態様について説明する。
【０２２３】
図９は、ガイド面に形成する吸引穴の他の態様を示す図である。
【０２２４】
同図（ａ）は、ガイド面３１６の幅方向（用紙Ｐの搬送方向と直交する方向）に沿って一定の間隔で吸引穴３１８を複数形成したものである。これにより、用紙Ｐの変形を抑えて、用紙Ｐをスムーズにガイドすることができる。
【０２２５】
なお、この場合、各吸引穴３１８の形状は、特に限定されない。同図に示す例では、各吸引穴３１８の形状を用紙の搬送方向と平行な方向に延びる長穴形状としている。これにより、用紙の変形を抑えつつ、保持力を高めることができる。なお、長穴形状には、同図に示すように、両端が円弧状に形成された形状の他、楕円形状、長方形状等（いわゆる、縦幅と横幅が異なる穴形状）が含まれる。
【０２２６】
図９（ｂ）は、ガイド面３１６の幅方向に沿って一定ピッチで複数吸引穴３１８を形成するとともに、各吸引穴３１８の形状を長穴形状とし、かつ、各吸引穴３１８を用紙Ｐの搬送方向の上流側の端部が下流側の端部よりもガイド面３１６の中心側に位置するように、用紙Ｐの搬送方向に対して傾斜して形成したものである。この場合、同図に示すように、ガイド面３１６の幅方向の中心に対して、各吸引穴３１８が左右対称に形成され、用紙Ｐの搬送方向に沿って末広がりに形成される。
【０２２７】
このように吸引穴３１８を形成することにより、用紙Ｐがガイド面３１６を摺動する際、用紙Ｐの中央から幅方向の両端に向けてシワを延ばすことができる。これにより、より効果的にシワの発生を防止できる。
【０２２８】
図９（ｃ）は、図９（ｂ）と同様に、ガイド面３１６の幅方向に沿って一定ピッチで複数吸引穴３１８を形成するとともに、各吸引穴３１８の形状を長穴形状とし、かつ、各吸引穴３１８を用紙Ｐの搬送方向の上流側の端部が下流側の端部よりもガイド面３１６の中心側に位置するように、用紙Ｐの搬送方向に対して傾斜して形成したものである。ただし、本例では、ガイド面３１６の中心から離れた位置に形成される吸引穴３１８ほど傾斜角度が大きくなるようにしている。
【０２２９】
吸引穴３１８をこのように形成することにより、用紙Ｐの中心から幅方向の両端に向かって徐々にシワを延ばすことができ、シワを伸ばす効果をより高めることができる。
【０２３０】
図９（ｄ）は、スリット状の吸引穴３１８をガイド面３１６の幅方向の中心に対して、左右対称に配置し、かつ、各吸引穴３１８を用紙Ｐの搬送方向の上流側の端部が下流側の端部よりもガイド面３１６の中心側に位置するように、用紙Ｐの搬送方向に対して傾斜して形成したものである。この場合、同図に示すように、吸引穴３１８は、用紙Ｐの搬送方向に沿って末広がりに形成される。
【０２３１】
吸引穴３１８をこのように形成した場合も用紙Ｐの中心から幅方向の両端に向かって徐々にシワを延ばすことができ、効果的にシワの発生を防止することができる。
【０２３２】
図９（ｅ）は、ガイド面３１６の幅方向に沿って一定ピッチで複数吸引穴３１８を形成するとともに、各吸引穴３１８の形状を長穴形状とし、かつ、各吸引穴３１８を用紙Ｐの搬送方向に対して傾斜して形成したものである。
【０２３３】
このように吸引穴３１８を形成することにより、用紙Ｐがガイド面３１６を摺動する際、用紙Ｐの幅方向の一方から他方に向けてシワを延ばすことができる。
【０２３４】
図９（ｆ）は、スリット状の吸引穴３１８をガイド面３１６の対角線に沿って形成したものである（スリット状の吸引穴３１８を用紙Ｐの搬送方向に対して傾斜して形成したものである。
【０２３５】
このように吸引穴３１８を形成することにより、用紙Ｐがガイド面３１６を摺動する際、用紙Ｐの幅方向の一方から他方に向けてシワを延ばすことができる。また、用紙Ｐを幅方向に連続的に吸着することができ、高い保持力を得ることができる。
【０２３６】
図９（ｇ）は、図９（ｆ）と同様に、スリット状の吸引穴３１８をガイド面３１６の対角線に沿って形成するとともに、これと平行な吸引穴３１８を複数本形成したものである。
【０２３７】
このように吸引穴３１８を形成することにより、用紙Ｐがガイド面３１６を摺動する際、用紙Ｐの幅方向の一方から他方に向けてシワを延ばすことができるとともに、保持力をより高めることができる。
【０２３８】
図１０は、ガイド面に形成する吸引穴の更に他の態様を示す図である。
【０２３９】
図９に示す態様では、吸引穴３１８の形状を長穴形状又はスリット状としているが、吸引穴の形状は、これに限定されるものではない。
【０２４０】
図１０（ａ）は、丸穴形状の吸引穴３１８をガイド面３１６の幅方向（用紙Ｐの搬送方向と直交する方向）に沿って一定の間隔で複数形成したものである。吸引穴３１８を丸穴形状とすることにより、加工を容易にすることができる。
【０２４１】
図１０（ｂ）は、丸穴形状の吸引穴３１８をガイド面３１６に複数形成したものである。これにより、吸着面積を増大でき、保持力を更に高めることができる。
【０２４２】
図１０（ｃ）は、吸引穴３１８をガイド面３１６の幅方向に沿って一定の間隔で複数形成するとともに、各吸引穴３１８の形状をガイド面３１６の幅方向に沿って延びる長穴形状としたものである。これにより、保持力を高めつつ、用紙Ｐの変形を抑えることができる。
【０２４３】
なお、吸引穴３１８を長穴形状とする場合は、図１１に示すように、多数の小径の丸穴３１８ａを集合させて、全体として長穴形状に形成することもできる（全体としての外形が長穴形状とされる。）。これにより、高い保持力を得つつ、用紙Ｐの変形を抑えることができる。また、加工も容易に行うことができる。
【０２４４】
上記の例では、説明の便宜上、ガイド面３１６を平坦に形成しているが、ガイド面３１６の形状は、これに限定されるものではない。他の態様のガイド面３１６に吸引穴３１８を形成する場合も同様に、上述した種々の態様の吸引穴３１８を形成することができる。
【０２４５】
≪用紙ガイドの設置方法の他の形態≫
図１２（ａ）に示すように、上記実施の形態では、ガイド面３１６が押圧ローラ４２の設置点における画像記録ドラム４１の接線Ｔに沿うように用紙ガイド３１０を配置している（ガイド面３１６の延長線上に押圧ローラ４２の設置点が位置するように、用紙ガイド３１０を配置している。）。このように用紙ガイド３１０を配置することにより、用紙Ｐを押圧ローラ４２と画像記録ドラム４１との間に進入しやすくすることができ、シワの防止効果をより高めることができる。
【０２４６】
一方、図１２（ｂ）及び（ｃ）に示すように、用紙ガイド３１０を通過した用紙Ｐが押圧ローラ４２に巻き付くように、用紙ガイド３１０を設置することにより、用紙Ｐが押圧ローラ４２に沿って走行する面積が増加し、押圧ローラ４２でシワを延ばす効果を高めることができる。
【０２４７】
この場合、同図に示すように、押圧ローラ４２の設置点における画像記録ドラム４１の接線Ｔに対してガイド面３１６を傾けて設置（ガイド面３１６で吸引する方向を接線Ｔに対して傾けて設置）することができ、これにより、用紙ガイド３１０を通過した用紙Ｐが押圧ローラ４２に巻き付くように吸引することができる。
【０２４８】
特に、図１２（ｃ）に示すように、接線Ｔに対してガイド面３１６をマイナス（−）方向に傾けて設置（ガイド面３１６で吸引する方向を押圧ローラ４２の設置点と反対方向に向けて設置）することにより、バックテンションの力を増大させることができる。
【０２４９】
このように、用紙ガイド３１０は、その設置位置を調整することにより、バックテンションの掛け方、押圧ローラ４２と画像記録ドラム４１との間への用紙Ｐの進入のさせ方等を調整することができる。したがって、用紙ガイド３１０は、使用する用紙Ｐの種類や紙厚等に応じて、適宜最適な状態に設置することが好ましい。また、用紙Ｐの種類や紙厚等に応じて、吸引のさせ方を変えられるように、設置位置を調整できるようにしてもよい。たとえば、画像記録ドラム４１の軸と平行な軸を中心に首振り自在に支持し、ガイド面３１６の向き（吸引方向）を変えられるようにしてもよい。これにより、吸引のさせ方を調整することができる。また、更に像記録ドラム４１の外周面からの高さ位置（画像記録ドラム４１の外周面とガイド面３１６との間に形成されるギャップ）を調整できるようにしてもよい。
【０２５０】
また、用紙ガイド３１０は、可能な限りガイド面３１６を画像記録ドラム４１の外周面に近づけて設置することが好ましい。これにより、安定して用紙Ｐを吸引することができる。
【０２５１】
≪用紙ガイドの他の形態≫
用紙ガイド３１０は、用紙Ｐとの接触面積が大きいほど強い保持力を得ることができる。したがって、そのガイド面３１６の用紙搬送方向の長さ（前後方向の長さ）は、長い程よい。この長さは設置スペース等を考慮して設定され、最大の効果が得られる長さに設定される。
【０２５２】
また、用紙Ｐの搬送方向と直交する方向の長さは、用紙幅とほぼ同じ幅に設定することが好ましい。したがって、画像記録ドラム４１の幅とほぼ同じ幅で形成することが好ましい。
【０２５３】
ただし、設置スペースや使用する用紙Ｐの種類などによっては、図１３（ａ）に示すように、用紙Ｐの中央部のみを吸引するように構成することもできる。
【０２５４】
また、図１３（ｂ）に示すように、一対の用紙ガイド３１０を用いて、用紙Ｐの幅方向の両端部を吸引するように構成することもできる。
【０２５５】
更に複数台の用紙ガイド３１０を用紙Ｐの搬送方向と直交する方向に並列して配置する構成とすることもできる。この場合、１台の真空ポンプを用いて各用紙ガイド３１０を吸引する構成とすることもできるが、各用紙ガイド３１０に個別に真空ポンプを設置し、個別に吸引できるようにすることもできる。これにより、用紙Ｐのサイズに応じて、吸引する幅を切り替えることができる。なお、１台の真空ポンプを用いた場合であっても、たとえば、各用紙ガイド３１０と真空ポンプとを接続する吸引配管にバルブを設置することにより（個別に吸引をＯＮ／ＯＦＦできるように構成する。）、同様の効果を得ることができる。
【０２５６】
また、用紙ガイド３１０は、図１４に示すように、ローラ状に形成することもできる。
【０２５７】
同図に示す用紙ガイド３１０は、内筒３３０と外筒３３２とからなる二重管構造で構成され、画像記録ドラム４１とほぼ同じ幅で形成される。
【０２５８】
内筒３３０は、円筒状に形成される。内筒３３０は、両端を図示しないブラケットに支持されて、固定して設置される。
【０２５９】
外筒３３２は、円筒状に形成される。外筒３３２は、図示しないベアリングを介して、内筒３３０の外周部を回転自在に設けられる。
【０２６０】
内筒３３０の周面には、一定の角度範囲で開口部３３４が形成される。一方、外筒３３２の外周部には、多数の吸引穴３１８が形成される。
【０２６１】
内筒３３０の一方端には、図示しない吸引口が形成される。吸引口は、吸引配管を介して真空ポンプに接続される。
【０２６２】
真空ポンプを駆動すると、内筒３３０の内部の空気が吸引される。これにより、外筒３３２に形成された吸引穴３１８から空気が吸引される。そして、この吸引穴３１８から空気が吸引されることにより、画像記録ドラム４１によって搬送される用紙Ｐの表面が吸引される。
【０２６３】
用紙Ｐは、吸引穴３１８から吸引されることにより、外筒３３２の外周面に密着する。外筒３３２は、回転自在に設けられているため、用紙Ｐの走行とともに回転（連れ回り）する。
【０２６４】
このように、用紙ガイド３１０をローラ状に形成し、用紙Ｐとともに連れ回りする構成とすることにより、用紙Ｐの表面が擦れるのを防止することができる。
【０２６５】
なお、本例では、外筒３３２を内筒３３０の外周に回転自在に支持し、用紙Ｐとともに連れ回りする構成としているが、モータ等の回転駆動手段で駆動して、用紙Ｐと同じ速度で回転させる構成としてもよい。
【０２６６】
また、外筒３３２をモータ等の回転駆動手段で駆動して、用紙Ｐの搬送方向と逆方向に回転させる構成としてもよい。これにより、バックテンションの力を増大させることができる。
【０２６７】
≪吸引方法≫
バックテンション付与装置３００は、インクジェット記録装置１０の作動中、常に作動し、用紙ガイド３１０から常に一定の吸引力で空気を吸引する構成とすることもできるが、用紙Ｐの搬送に合わせて吸引力を制御することが好ましい。
【０２６８】
たとえば、用紙Ｐの先端部では、強い吸引力で吸引し、その後、吸引力を弱めるようにする。用紙Ｐは、一度吸着できれば、その状態を保持することができるが、初期の吸着力が弱いと、吸着できないおそれがある。そこで、用紙Ｐの先端部では、強い吸引力で吸引し、その後、吸引力を弱めるようにする。これにより、適切に用紙Ｐを吸引することができる。
【０２６９】
この他、用紙Ｐの後端に向かって徐々に吸引力を弱めるようにすることもできる。
【０２７０】
≪その他の実施の形態≫
上記実施の形態では、画像記録ドラム４１の用紙搬送機構に本発明を適用した場合を例に説明したが、他の用紙搬送機構にも本発明を適用することができる。たとえば、処理液塗布部３０の用紙搬送機構にも適用することができる。この場合、塗布装置３２（塗布ローラ）の直前位置にバックテンション付与装置を設置する。これにより、塗布ローラによって押圧される用紙Ｐにシワが発生するのを防止することができる。
【０２７１】
また、用紙ガイド３１０は、用紙Ｐの搬送方向に沿って複数台配置する構成とすることもできる。
【符号の説明】
【０２７２】
１０…インクジェット記録装置、２０…給紙部、２１…給紙装置、２２…給紙トレイ、２３…渡し胴、３０…処理液塗布部、３１…搬送ドラム（処理液塗布ドラム）、４０…画像記録部、４１…搬送ドラム（画像記録ドラム）、４２…押圧ローラ、４３…用紙浮き検出センサ、４３Ａ…レーザ投光器、４３Ｂ…レーザ受光器、４４Ｃ、４４Ｍ、４４Ｙ、４４Ｋ…インクジェットヘッド、５０…インク乾燥部、５１…搬送ドラム（インク乾燥ドラム）、５２…インク乾燥装置、６０…定着部、６１…搬送ドラム（定着ドラム）、６２…紫外線照射光源、６４…インラインセンサ、７０…回収部、７１…スタッカ、７２…排紙コンベア、８０…渡し胴、８２…ガイド板、８４…ドライヤ、９０…渡し胴、９２…ガイド板、９４…ドライヤ、１００…渡し胴、１０２…ガイド板、１０４…ドライヤ、２００…システムコントローラ、２０１…通信部、２０２…画像メモリ、２０３…搬送制御部、２０４…給紙制御部、２０５…処理液塗布制御部、２０６…画像記録制御部、２０７…インク乾燥制御部、２０８…定着制御部、２０９…回収制御部、２１０…操作部、２１１…表示部、３００…バックテンション付与装置、３１０…用紙ガイド、３１２…真空ポンプ、３１４…吸引配管、３１６…ガイド面、３１８…吸引穴、３１８ａ…丸穴、３２０…吸引口、３２２…真空防止穴、３３０…内筒、３３２…外筒、３３４…開口部、Ｇ…グリッパ、Ｐ…用紙
【図１】
0005179610.tif 000002
【図２】
0005179610.tif 000003
【図３】
0005179610.tif 000004
【図４】
0005179610.tif 000005
【図５】
0005179610.tif 000006
【図６】
0005179610.tif 000007
【図７】
0005179610.tif 000008
【図８】
0005179610.tif 000009
【図９】
0005179610.tif 000010
【図１０】
0005179610.tif 000011
【図１１】
0005179610.tif 000012
【図１２】
0005179610.tif 000013
【図１３】
0005179610.tif 000014
【図１４】
0005179610.tif 000015